(57)【要約】      （修正有）【課題】粉が飛び散ることがなく、粉を食材に安定して振りかけることができる粉ふりスプーンを提供すること。【解決手段】粉ふりスプーンＳは、穴あきスプーン１と、この穴あきスプーンに接続された支持部材２と、この支持部材を回動自在に支持すると共に、手で把持する柄３とを備える。また支持部材は、穴あきスプーンに接続された水平部２１と、この水平部に接続され、柄の後端に向かって下がり勾配に傾斜する傾斜部２２と、水平部を柄に近づくように付勢する付勢手段としての弾性リング４とを有し、支持部材は、柄の長手方向を縦断する方向に回動する。【選択図】図８
2019092830.tif 000002
【特許請求の範囲】
【請求項１】
穴あきスプーンと、
この穴あきスプーンに接続された支持部材と、
この支持部材を回動自在に支持されると共に、手で把持する柄とを備え、
前記穴あきスプーンが垂直方向に上下動するように、前記支持部材は、前記柄に回動自在に支持されている
ことを特徴とする粉ふりスプーン。  
【請求項２】
穴あきスプーンと、
この穴あきスプーンに接続された支持部材と、
この支持部材を回動自在に支持すると共に、手で把持する柄とを備え、
前記支持部材は、前記スプーンに接続された水平部と、この水平部に接続され、柄の後端に向かって下がり勾配に傾斜する傾斜部と、
前記水平部を前記柄に近づくように付勢する付勢手段とを有し、
前記支持部材は、前記柄の長手方向を縦断する方向に回動するものであり、
前記傾斜部を指で操作して、前記付勢手段に抗して、前記傾斜部を前記柄に近づくように回動させ、
前記指を前記傾斜部から離すか又は前記指の力を抜いて、前記付勢手段により前記水平部を前記柄に近づくように回動させる
ことを特徴とする粉ふりスプーン。
【請求項３】
水平部の一方の側面に第１の突起、前記水平部の他方の側面に第２の突起を有し、
前記第１の突起に係止する第１の孔を前記水平部の一方の側面に対向する前記柄の一方の側面に設け、
前記第２の突起に係止する第２の孔を前記水平部の他方の側面に対向する前記柄の他方の側面に設け、
前記柄を手で把持し、前記傾斜部を指で操作して、前記第１の突起及び前記第２の突起を支点として、前記支持部材を回動させる
ことを特徴とする請求項２記載の粉ふりスプーン。  
【請求項４】
柄の長手方向を直角に横断する形状は、略Ｕ字形状で、
前記略Ｕ字形状の空間内であって、前記柄の長手方向を直角に横断するようにリブが設けられ、
水平部は、前記柄の前記略Ｕ字形状の空間内に位置し、
傾斜部の先端は、前記柄の外方に位置し、
付勢手段は、弾性リングであり、
前記傾斜部を指で操作して 前記傾斜部を前記柄に近づくように回動したとき、前記傾斜部の裏面側が前記リブに当接する
ことを特徴とする請求項３記載の粉ふりスプーン。  
【請求項５】
第１の突起に係止する第１の孔は、柄の長手方向に長い第１の長孔であり、
第２の突起に係止する第２の孔は、柄の長手方向に長い第２の長孔であり、
前記第１の突起がスプーンから遠い側の前記第１の長孔の端部が係止したとき、傾斜部の裏面側がリブに当接し、
前記第２の突起が前記スプーンから遠い側の前記第２の長孔の端部が係止したとき、前記傾斜部の裏面側が前記リブに当接し、前記傾斜部を介してのスプーンの回動が規制される
ことを特徴とする請求項３記載の粉ふりスプーン。  
【請求項６】
スプーンに入れる粉の目安量を示す前記スプーンの内壁面に設けられた目安線は、水平目安線と、前記水平目安線に対して直交する垂直目安線とがあり、前記水平目安線は、前記スプーンの水平な底部に平行であり、
前記垂直目安線は、前記粉をすくう際の前記スプーンに入れる粉目安線であり、
前記水平目安線は、すくった前記粉が前記スプーンに入れる粉の目安量であるかの最終確認をすることができる
ことを特徴とする請求項１〜５のいずれかに記載の粉ふりスプーン。
【請求項７】
スプーンの穴は、水平な底部に設けられた複数の第１の穴と、前記底部に設けられた複数の第２の穴を有し、前記第１の穴の大きさは、前記第２の穴の大きさより大である
ことを特徴とする請求項６記載の粉ふりスプーン。  
【請求項８】
付勢手段は、弾性リングであり、
前記柄の長手方向を直角に横断する形状は、略Ｕ字形状で、
水平部は、前記柄の前記略Ｕ字形状の空間内に位置し、
前記柄の前記略Ｕ字形状の空間内の前記水平部と前記柄は、前記弾性リングにより結束されている
ことを特徴とする請求項２記載の粉ふりスプーン。  
【請求項９】
穴あきスプーンと、
この穴あきスプーンに接続された支持部材と、
この支持部材を回動自在に支持されると共に、手で把持する柄とを備え、
前記支持部材を指で操作して、前記穴あきスプーンを垂直方向に上下動させて前記穴あきスプーンを移動させる
ことを特徴とする粉ふりスプーンの移動方法。  
【発明の詳細な説明】
【技術分野】
【０００１】
本発明は、粉ふりスプーン及び粉ふりスプーンの移動方法に係り、特に、粉を食材に安定して振りかけることができる粉ふりスプーン及び粉ふりスプーンの移動方法に関する。
【背景技術】
【０００２】
従来、食材に粉をふりかける穴あきスプーンがある（特許文献１参照）。
この穴あきスプーンにあっては、穴あきスプーン全体を水平方向に左右動させて食材に粉をふりかけるようにしている。
【先行技術文献】
【特許文献】
【０００３】
【特許文献１】意匠登録第１５２７２６６号公報
【発明の概要】
【発明が解決しようとする課題】
【０００４】
ところが、スプーン全体を水平方向に左右に動かすから、左右に粉が飛び散るという問題点が生じた。
【０００５】
本発明の目的は、上記の要望を考慮してなされた粉ふりスプーン及び粉ふりスプーンの移動方法を提供することにある。
【課題を解決するための手段】
【０００６】
請求項１記載の粉ふりスプーンは、穴あきスプーンと、この穴あきスプーンに接続された支持部材と、この支持部材を回動自在に支持されると共に、手で把持する柄とを備え、前記穴あきスプーンが垂直方向に上下動するように、前記支持部材は、前記柄に回動自在に支持されているものである。
【０００７】
また、請求項２記載の粉ふりスプーンは、穴あきスプーンと、この穴あきスプーンに接続された支持部材と、この支持部材を回動自在に支持すると共に、手で把持する柄とを備え、前記支持部材は、前記スプーンに接続された水平部と、この水平部に接続され、柄の後端に向かって下がり勾配に傾斜する傾斜部と、前記水平部を前記柄に近づくように付勢する付勢手段とを有し、前記支持部材は、前記柄の長手方向を縦断する方向に回動するものであり、前記傾斜部を指で操作して、前記付勢手段に抗して、前記傾斜部を前記柄に近づくように回動させ、前記指を前記傾斜部から離すか又は前記指の力を抜いて、前記付勢手段により前記水平部を前記柄に近づくように回動させるものである。
【０００８】
また、請求項３記載の粉ふりスプーンは、請求項２記載の粉ふりスプーンにおいて、水平部の一方の側面に第１の突起、前記水平部の他方の側面に第２の突起を有し、前記第１の突起に係止する第１の孔を前記水平部の一方の側面に対向する前記柄の一方の側面に設け、前記第２の突起に係止する第２の孔を前記水平部の他方の側面に対向する前記柄の他方の側面に設け、前記柄を手で把持し、前記傾斜部を指で操作して、前記第１の突起及び前記第２の突起を支点として、前記支持部材を回動させるものである。
【０００９】
また、請求項４記載の粉ふりスプーンは、請求項３記載の粉ふりスプーンにおいて、柄の長手方向を直角に横断する形状は、略Ｕ字形状で、前記略Ｕ字形状の空間内であって、前記柄の長手方向を直角に横断するようにリブが設けられ、水平部は、前記柄の前記略Ｕ字形状の空間内に位置し、傾斜部の先端は、前記柄の外方に位置し、付勢手段は、弾性リングであり、前記傾斜部を指で操作して 前記傾斜部を前記柄に近づくように回動したとき、前記傾斜部の裏面側が前記リブに当接するものである。
【００１０】
また、請求項５記載の粉ふりスプーンは、請求項３記載の粉ふりスプーンにおいて、第１の突起に係止する第１の孔は、柄の長手方向に長い第１の長孔であり、第２の突起に係止する第２の孔は、柄の長手方向に長い第２の長孔であり、前記第１の突起がスプーンから遠い側の前記第１の長孔の端部が係止したとき、傾斜部の裏面側がリブに当接し、前記第２の突起が前記スプーンから遠い側の前記第２の長孔の端部が係止したとき、前記傾斜部の裏面側が前記リブに当接し、前記傾斜部を介してのスプーンの回動が規制されるものである。
【００１１】
また、請求項６記載の粉ふりスプーンは、請求項１〜５のいずれかに記載の粉ふりスプーンにおいて、スプーンに入れる粉の目安量を示す前記スプーンの内壁面に設けられた目安線は、水平目安線と、前記水平目安線に対して直交する垂直目安線とがあり、前記水平目安線は、前記スプーンの水平な底部に平行であり、前記垂直目安線は、前記粉をすくう際の前記スプーンに入れる粉目安線であり、前記水平目安線は、すくった前記粉が前記スプーンに入れる粉の目安量であるかの最終確認をすることができるものである。
【００１２】
また、請求項７記載の粉ふりスプーンは、請求項６記載の粉ふりスプーンにおいて、スプーンの穴は、水平な底部に設けられた複数の第１の穴と、前記底部に設けられた複数の第２の穴を有し、前記第１の穴の大きさは、前記第２の穴の大きさより大である。
【００１３】
また、請求項８記載の粉ふりスプーンは、請求項２記載の粉ふりスプーンにおいて、付勢手段は、弾性リングであり、前記柄の長手方向を直角に横断する形状は、略Ｕ字形状で、水平部は、前記柄の前記略Ｕ字形状の空間内に位置し、前記柄の前記略Ｕ字形状の空間内の前記水平部と前記柄は、前記弾性リングにより結束されているものである。
【００１４】
また、請求項９記載の粉ふりスプーンの移動方法は、穴あきスプーンと、この穴あきスプーンに接続された支持部材と、この支持部材を回動自在に支持されると共に、手で把持する柄とを備え、前記支持部材を指で操作して、前記穴あきスプーンを垂直方向に上下動させて前記穴あきスプーンを移動させるものである。
【発明の効果】
【００１５】
請求項１記載の粉ふりスプーンによれば、従来のように粉ふりスプーン全体を水平方向に左右動させるものに比べ、 スプーンを垂直方向に回動させることができる、つまり、垂直方向に上下に動くので、粉が左右に飛び散ることが防止され、粉を食材に安定して振りかけることができる。
【００１６】
また、請求項２記載の記載の粉ふりスプーンによれば、従来のように粉ふりスプーン全体を水平方向に左右動させるものに比べ、 支持部材は、柄の長手方向を直交する方向に回動し、スプーンを垂直方向に回動させるため、粉を食材に安定して振りかけることができ、しかも、水平部を柄に近づくように付勢する付勢手段を有しているため、傾斜部への指の操作を楽に行うことができる。
【００１７】
また、請求項３記載の粉ふりスプーンによれば、水平部の一方の側面に第１の突起、前記水平部の他方の側面に第２の突起を有し、前記第１の突起に係止する第１の孔を前記水平部の一方の側面に対向する柄の一方の側面に設け、前記第２の突起に係止する第２の孔を前記水平部の他方の側面に対向する前記柄の他方の側面に設け、前記柄を手で把持し、前記傾斜部を指で操作して、前記第１の突起及び前記第２の突起を支点として、前記支持部材を回動させるため、従来のように粉ふりスプーン全体を水平方向に左右動させるものに比べ、 スプーンを垂直方向に回動させることができるため、粉を食材に安定して振りかけることができ、しかも、水平部を柄に近づくように付勢する付勢手段を有しているため、傾斜部への指の操作を楽に行うことができる。
【００１８】
また、請求項４記載の記載の粉ふりスプーンによれば、上述した請求項３記載の発明の効果に加え、水平部と柄は、弾性リングにより結束されているため、傾斜部を指で操作して 傾斜部を柄に近づくように回動させたとき、傾斜部の裏面側がリブに当接した際の衝撃により、スプーン内の粉が落ち、また、弾性リングの弾性により傾斜部が元の位置に戻ったときにも衝撃が生じ、スプーン内の残存した粉が落ち、しかも、水平部を柄に近づくように弾性リングによる付勢手段を有しているため、傾斜部への指の操作を楽に行うことができる。なお、傾斜部を指で適宜の回数操作して スプーン内の粉が減るようにする。
【００１９】
また、請求項５記載の記載の粉ふりスプーンによれば、上述した請求項３の発明の効果に加え、第１の突起がスプーンから遠い側の第１の長孔の端部が係止したとき、傾斜部の裏面側がリブに当接し、第２の突起がスプーンから遠い側の第２の長孔の端部が係止したとき、傾斜部の裏面側がリブに当接し、傾斜部を介してのスプーンの回動が規制されるため、粉をすくうときにスプーンが回動せず粉をすくい易い。
【００２０】
また、請求項６記載の記載の粉ふりスプーンによれば、上述した請求項１〜５のいずれかに記載の発明の効果に加え、垂直目安線を基準として、スプーンに一定量の粉をすくい、水平目安線を基準として、すくった粉がスプーンに入れる粉の目安量であるかの最終確認をすることができ、少ない場合には、粉をスプーンに追加し、多い場合には、粉を戻して、適正量の粉を食材に振りかけることができる。
【００２１】
また、請求項７記載の記載の粉ふりスプーンによれば、上述した請求項６記載の発明の効果に加え、スプーンの穴は、水平な底部に設けられた複数の第１の穴と、前記底部に設けられた複数の第２の穴を有し、前記第１の穴の大きさは、前記第２の穴の大きさより大であるため、目詰まりしにくくすることができる。
【００２２】
また、請求項８記載の記載の粉ふりスプーンによれば、上述した請求項２記載の発明の効果に加え、柄の略Ｕ字形状の空間内の水平部と柄は、弾性リングにより結束されているため、付勢手段である弾性リングにより水平部と柄を結束させると共に、付勢効果をも発揮させることができる。
【００２３】
また、請求項９記載の粉ふりスプーンの移動方法によれば、従来のように粉ふりスプーン全体を水平方向に左右動させるものに比べ、 スプーンを垂直方向に移動させることができる、つまり、垂直方向に上下に動くので、粉が左右に飛び散ることが防止され、粉を食材に安定して振りかけることができる。
【図面の簡単な説明】
【００２４】
【図１】図１は、本発明の一実施例の粉ふりスプーンの概略的正面図である。
【図２】図２は、図１の概略的平面図である。
【図３】図３は、図１の概略的背面図である。
【図４】図４は、図２のＢ−Ｂ線による概略的断面図である。
【図５】図５は、図２のＣ−Ｃ線による概略的断面図である。
【図６】図６は、図２のＡ−Ａ線による概略的断面図である。
【図７】図７は、図６の支持部材の移動状態を示す概略的断面図である。
【図８】図８は、図７のスプーンを移動させた状態の概略的断面図である。
【図９】図９は、図２の図面を実施化した粉ふりスプーンの写真である。
【図１０】図１０は、図９のスプーンを拡大して示す写真である。
【図１１】図１１は、図１０のスプーンを拡大して示す写真である。
【図１２】図１２は、図１の粉ふりスプーンと異なる他の実施例の粉ふりスプーンの概略的正面図である。
【図１３】図１３は、図１２の概略的断面図である。
【図１４】図１４は、図１２のＢ’−Ｂ’線による概略的断面図である。
【図１５】図１５は、図１２のＣ’−Ｃ’線による概略的断面図である。
【発明を実施するための形態】
【００２５】
本発明の一実施例の粉ふりスプーン及び粉ふりスプーンの移動方法を図１乃至図１１を参照して説明する。
図１に示すＳは、図示しない食材に粉（例えば、小麦粉）をふりかける粉ふりスプーンで、粉ふりスプーンＳは、穴あきスプーン１と、この穴あきスプーン１に接続された支持部材２と、この支持部材２を回動自在に支持すると共に、手で把持する柄３とを備えている。
そして、図７及び図８に示すように、穴あきスプーン１が垂直方向に上下動するように、支持部材２は、柄３に回動自在に支持されている。
【００２６】
上述した粉ふりスプーンＳによれば、従来のように粉ふりスプーン全体を水平方向に左右動させるものに比べ、 スプーンを垂直方向に回動させることができる、つまり、垂直方向に上下に動くので、粉が左右に飛び散ることが防止され、粉を食材に安定して振りかけることができる。
【００２７】
支持部材２は、スプーン１に接続された水平部２１と、この水平部２１に接続され、柄３の後端３Ａに向かって下がり勾配に傾斜する傾斜部２２とを有し、２１１は水平部２１の一方の側面に設けた第１の突起、２１２は水平部２１の他方の側面に設けた第２の突起である。そして、第１の突起２１１に係止する第１の孔３１を水平部２１の一方の側面に対向する柄３の一方の側面に設け、第２の突起２１２に係止する第２の孔３２を水平部２１の他方の側面に対向する柄３の他方の側面に設けている。
柄３を手で把持し、傾斜部２２を指で操作して、第１の突起２１１及び第２の突起２１２を支点として、支持部材２を回動させるようにしている。
そのため、粉を食材に安定して振りかけることができ、しかも、片手で粉を食材に振りかけることができる。
【００２８】
柄３の長手方向を直角に横断する形状は、略Ｕ字形状で、前記略Ｕ字形状の空間内であって、柄３の長手方向を直角に横断するようにリブＲが設けられている。水平部２１は、柄３の前記略Ｕ字形状の空間内に位置し、傾斜部２２の先端は、柄３の外方に位置している。また、水平部２１と柄３は、付勢手段、例えば、弾性リング４により結束されている。弾性リング４は、例えば、シリコンで形成された環状体である。なお、上述した付勢手段は、水平部２１を柄３に近づくように付勢する。
そして、支持部材２は、柄３の長手方向を縦断する方向に回動するものであり、傾斜部２２を指で操作して、付勢手段（例えば、弾性リング４）に抗して、傾斜部２２を柄３に近づくように回動させ、前記指を傾斜部２２から離すか又は前記指の力を抜いて、付勢手段（例えば、弾性リング４）により水平部２１を柄３に近づくように回動させる。
また、柄３を手（例えば、右手）で把持し、傾斜部２２を指（例えば、右手の人差し指）で操作して 傾斜部２２を柄３に近づくように回動したとき、傾斜部２２の裏面側がリブＲに当接するようになっている。
【００２９】
このように傾斜部２２の裏面側がリブＲに当接した際の衝撃により、スプーン１内の粉が落ち、また、弾性リング４の弾性により傾斜部２２が元の位置に戻ったときの衝撃により、スプーン１内の残存した粉が落ちる。なお、傾斜部２２を指で適宜の回数操作して スプーン１内の粉が無くなるようにする。
【００３０】
なお、第１の突起２１１に係止する第１の孔３１は、柄３の長手方向に長い第１の長孔であり、第２の突起２１２に係止する第２の孔３２は、柄３の長手方向に長い第２の長孔である。そして、第１の突起２１１がスプーン１から遠い側の第１の長孔３１の端部３１Ａが係止したとき、傾斜部２２の裏面側がリブＲに当接し、第２の突起２１２がスプーン１から遠い側の第２の長孔３２の端部３２１Ａが係止したとき、傾斜部２２の裏面側がリブＲに当接し、傾斜部２２を介してのスプーン１の回動が規制される。規制状態にあっては、粉をすくうときにスプーン１が回動しないため、粉をすくい易くなる。
【００３１】
また、スプーン１に入れる粉の目安量を示すスプーン１の内壁面に目安線が設けられている。目安線は、水平目安線Ｈと、水平目安線Ｈに対して直交する垂直目安線Ｖとがあり、水平目安線Ｈは、スプーン１の水平な底部に平行である。
垂直目安線Ｖは、粉をすくう際のスプーン１に入れる粉目安線であり、水平目安線Ｈは、すくった前記粉がスプーン１に入れる粉の目安量であるかの最終確認をすることができる。
即ち、垂直目安線Ｖを基準として、スプーン１に一定量の粉をすくい、水平目安線Ｈを基準として、すくった粉がスプーン１に入れる粉の目安量であるかの最終確認をすることができ、少ない場合には、粉をスプーン１に追加し、多い場合には、粉を戻して、適正量の粉を食材に振りかけることができる。
【００３２】
また、スプーン１の穴は、水平な底部に設けられた複数の第１の穴１１と、底部に設けられた複数の第２の穴１２を有し、第１の穴の大きさ１１は、第２の穴１２の大きさより大となっているため、目詰まりしにくくなっている。
【００３３】
上述した実施例の粉ふりスプーンにおいては、水平部２１と柄３は、付勢手段、例えば、弾性リング４により結束するようにしたが、本願発明にあっては、弾性リング４は、必須ではない。
【００３４】
即ち、図１２乃至図１５に示す粉ふりスプーンＳは、穴あきスプーン１と、この穴あきスプーン１に接続された支持部材２と、この支持部材２を回動自在に支持されると共に、手で把持する柄３とを備え、穴あきスプーン１が垂直方向に上下動するように、支持部材２は、柄３に回動自在に支持されている。
支持部材２は、スプーン１に接続された水平部２１と、この水平部２１に接続され、柄３の後端３Ａに向かって下がり勾配に傾斜する傾斜部２２とを有し、２１１は水平部２１の一方の側面に設けた第１の突起、２１２は水平部２１の他方の側面に設けた第２の突起である。そして、第１の突起２１１に係止する第１の孔３１を水平部２１の一方の側面に対向する柄３の一方の側面に設け、第２の突起２１２に係止する第２の孔３２を水平部２１の他方の側面に対向する柄３の他方の側面に設けている。
柄３を手で把持し、傾斜部２２を指で操作して、第１の突起２１１及び第２の突起２１２を支点として、支持部材２を回動させるようにしている。
そのため、粉を食材に安定して振りかけることができ、しかも、片手で粉を食材に振りかけることができる。
【００３５】
なお、粉ふりスプーンの移動方法は、支持部材２を指で操作して、穴あきスプーン１を垂直方向に上下動させて穴あきスプーン１を移動させるものである。
この粉ふりスプーンの移動方法によれば、従来のように粉ふりスプーン全体を水平方向に左右動させるものに比べ、 スプーンを垂直方向に移動させることができる、つまり、垂直方向に上下に動くので、粉が左右に飛び散ることが防止され、粉を食材に安定して振りかけることができる。
【符号の説明】
【００３６】
Ｓ      粉ふりスプーン
１      穴あきスプーン
２      支持部材
３      柄
【図１】
2019092830.tif 000003
【図２】
2019092830.tif 000004
【図３】
2019092830.tif 000005
【図４】
2019092830.tif 000006
【図５】
2019092830.tif 000007
【図６】
2019092830.tif 000008
【図７】
2019092830.tif 000009
【図８】
2019092830.tif 000010
【図９】
2019092830.tif 000011
【図１０】
2019092830.tif 000012
【図１１】
2019092830.tif 000013
【図１２】
2019092830.tif 000014
【図１３】
2019092830.tif 000015
【図１４】
2019092830.tif 000016
【図１５】
2019092830.tif 000017